(57)【要約】試料観察デバイスは、エンクロージャ、試料を受容し、およびエンクロージャに対して試料を保持するためエンクロージャに配置された試料取付けシステム、並びに、エンクロージャに配置され、およびエンクロージャの背景色を制御するために構成された背景色制御システムを有して成る。又、試料の観察方法も供される。
2014531044.tif 000002
【特許請求の範囲】
【請求項１】
試料観察デバイスであって、
エンクロージャ;
試料を受容し、およびエンクロージャに対して試料を保持するためエンクロージャに配置された試料取付けシステム;並びに
エンクロージャに配置され、およびエンクロージャの背景色を制御するために構成された背景色制御システム
を有して成る、試料観察デバイス。
【請求項２】
エンクロージャがボックス形状である、請求項１に記載の試料観察デバイス。
【請求項３】
ボックスが、底面、第１面、および第２面を有した鞍部を有して成る、請求項２に記載の試料観察デバイス。
【請求項４】
ボックスが開閉可能な前面、背面、および上面を有して成る、請求項３に記載の試料観察デバイス。
【請求項５】
試料取付けシステムが、支持システムおよび保持システムを有して成る、請求項１に記載の試料観察デバイス。
【請求項６】
試料取付けシステムが、試料を選択的に固定するためのラッチ・システムを有して成る、請求項５に記載の試料観察デバイス。
【請求項７】
背景色制御システムが、エンクロージャ内に選択的に設けるために構成された複数のカセットを有して成る、請求項１に記載の試料観察デバイス。
【請求項８】
背景色制御システムが、カセットを受容するための複数の取付け要素を有して成る、請求項７に記載の試料観察デバイス。
【請求項９】
取付け要素が、該取付け要素に沿って延在するスロットを有する細長いストリップを有して成る、請求項８に記載の試料観察デバイス。
【請求項１０】
ストリップ内のスロットの横断面が、相互に実質的に直交するように配置されている、請求項９に記載の試料観察デバイス。
【請求項１１】
取付け要素の一部は、試料観察デバイスの背面からストリップのスロットにカセットを摺動することで、カセットを受容するように構成されている、請求項９に記載の試料観察デバイス。
【請求項１２】
試料取付けシステムに取り付けられた試料を更に有して成る、請求項１に記載の試料観察デバイス。
【請求項１３】
試料がガラスを含んで成る、請求項１２に記載の試料観察デバイス。
【請求項１４】
試料がモノシリックガラスを含んで成る、請求項１３に記載の試料観察デバイス。
【請求項１５】
試料が彩色ガラスを含んで成る、請求項１３に記載の試料観察デバイス。
【請求項１６】
試料が被覆ガラスを含んで成る、請求項１３に記載の試料観察デバイス。
【請求項１７】
試料が絶縁性ガラスユニットを含んで成る、請求項１３に記載の試料観察デバイス。
【請求項１８】
エンクロージャおよび背景色制御システムを有して成る試料観察デバイスに試料を設けること；
背景色制御システムを選択的に調整すること；および
１つ以上のバンテージポイントから試料の外観を解析すること
を含む、試料の観察方法。
【請求項１９】
背景色制御システムを選択的に調整することは、エンクロージャ内に有色カセットを選択的に挿入することを含む、請求項１８に記載の試料の観察方法。
【請求項２０】
エンクロージャ内に有色カセットを選択的に挿入することは、エンクロージャに配置された取付け要素内にカセットを選択的に摺動させることを含む、請求項１９に記載の試料の観察方法。
【請求項２１】
エンクロージャは前面、上面、および背面を含む開閉可能な部分を有して成り、および
選択的に１つ以上の開閉可能な部分を開いたり又は閉じたりすることと、１つ以上のバンテージポイントから試料に対する効果を評価することとを含む、請求項１８に記載の試料の観察方法。
【請求項２２】
選択的に１つ以上の開閉可能な部分を開いたり又は閉じたりすることは、それぞれ開閉可能な部分を外す又は係止すること、および開閉可能な部分を枢動可能に動作させることを含む、請求項２１に記載の試料の観察方法。
【請求項２３】
選択的に１つ以上の開閉可能な部分を開いたり又は閉じたりすることは、それぞれ開閉可能な部分を外す又は係止すること、およびエンクロージャから開閉可能な部分を取り外すことを含む、請求項２１に記載の試料の観察方法。
【請求項２４】
試料がガラスを含んで成る、請求項１８に記載の試料の観察方法。
【請求項２５】
試料がモノシリックガラスを含んで成る、請求項２４に記載の試料の観察方法。
【請求項２６】
試料が彩色ガラスを含んで成る、請求項２４に記載の試料の観察方法。
【請求項２７】
試料が被覆ガラスを含んで成る、請求項２４に記載の試料の観察方法。
【請求項２８】
試料が絶縁性ガラスユニットを含んで成る、請求項２４に記載の試料の観察方法。
【請求項２９】
試料観察デバイスであって、
キャビティーを規定するエンクロージャ;
キャビティーに隣接する少なくとも部分的に透明な試料を固定するために構成された試料取付けシステム;および
キャビティー内に色を供し、それによって試料の外観に作用するためにキャビティー周囲に配置された背景色制御システム
を有して成る、試料観察デバイス。
【発明の詳細な説明】
【技術分野】
【０００１】
本発明は、観察用の試料（又は試験片又は検体;specimen）を保持するためのデバイスに関する。より具体的には、本発明は、例えば、試料に供される光を制御するためのボックス、チューブ、チャネル、凹面構造等の光制御観察デバイスに関する。更により具体的には、本発明は、モノリシックなパネルおよび/又は絶縁ガラスユニット等のガラスを保持し、観察するための光制御観察デバイスに関する。
【背景技術】
【０００２】
窓ガラス又は生ソーダ石灰ガラスは、自然には相対的に高い放射性を有する。熱効率（絶縁特性）を改善するために、特別に設計された薄膜コーティングが、生ソーダ石灰ガラスの１つ以上の表面にしばしば施される。これらコーティングは赤外放射エネルギーを反射し、それによって、反射が生じたガラスと同じ側に放射熱がとどまり、その一方で可視光は通過する傾向がある。これにより、冬に室内から生じる放射熱は内側に戻るように反射するが、夏場の太陽からの赤外熱放射線は離れるように反射し、室内側は冷却されるため、より効率的な窓となる。
【０００３】
被覆ガラスの内側および外側の外観を予測することは困難で有り得る。更に、光処理能力および光処理能力の効果を予測することも困難で有り得る。コンピューターモデル化プログラムは、被覆ガラスの外観を描写するためにしばしば使用される。しかしながら、コンピューター又はその印刷物にその外観を描写する際、実際に組み立てて建物又は他の構造物に設けた際に被覆ガラスがどのように見えるかを正確に理解することは困難であり得る。
【発明の概要】
【０００４】
ある態様では、試料観察デバイスは、エンクロージャ（又は囲い;enclosure）と、および、試料を受容し、エンクロージャに関連して試料を保持するためのエンクロージャに設けられた試料取付け（又は搭載;mounting）システムとを有して成っていてよい。又、当該デバイスは、エンクロージャに設けられ、エンクロージャの背景色を制御するために構成された背景色制御システムを有して成っていてよい。
【０００５】
別の態様では、試料観察デバイスは、キャビティーを規定するエンクロージャ、キャビティーと隣接した少なくとも部分的に透明な試料を固定するために設けられた試料取付けシステム、および、キャビティー内に色を与え、それによって試料の外観に作用するためのキャビティー周囲に配置された背景色制御システムを有して成っていてよい。
【０００６】
別の態様では、試料の観察方法は、エンクロージャおよび背景色制御システムを有して成る試料観察デバイス内に試料を設けることを含んでいてよい。又、当該方法は、選択的に背景色制御システムを調整し、１つ以上のバンテージポイントから試料の外観を分析することを含んでいてよい。
【０００７】
上記の記載および下記の詳細な記載は共に例示と説明の目的のためにあり、本発明を必ずしも限定するものではないと理解できよう。明細書に組み込まれ、明細書の一部を構成する添付図面は、本発明の事項を示している。併せて、上記の記載および下記の詳細な記載並びに図面は、本発明の原理を説明するために供される。
【図面の簡単な説明】
【０００８】
【図１】図１は、ある態様に従い、前面と背面が開き、上面が取り外された試料観察デバイスの斜視図である。
【図２Ａ】図２Aは、図１の試料観察デバイスの前側の断面図である。
【図２Ｂ】図２Bは、図１の試料観察デバイスの後側の断面図である。
【図２Ｃ】図２Cは、図１の試料観察デバイスの上面の平面図である。
【図２Ｄ】図２Dは、図１の試料観察デバイスの下側の断面図である。
【図２Ｅ】図２Eは、図１の試料観察デバイスの左側の断面図である。
【図２Ｆ】図２Fは、図１の試料観察デバイスの後側の断面図である。
【図３Ａ】図３Aは、上面を取り外し、前面と背面とを開いた位置での図１の試料観察デバイスの平面図である。
【図３Ｂ】図３Bは、上面を取り外し、前面と背面とを開いた位置での図１の試料観察デバイスの左面の断面図である。
【図４Ａ】図４Aは、図１の試料観察デバイスの平面図である。
【図４Ｂ】図４Bは、図１の試料観察デバイスの平面図である。
【図４Ｃ】図４Cは、図１の試料観察デバイスの右面図である。
【図４Ｄ】図４Dは、図１の試料観察デバイスの背面図である。
【図４Ｅ】図４Eは、図１の試料観察デバイスのスペーサの底面図である。
【図５Ａ】図５Aは、図１の試料観察デバイスの取付け要素の側面図である。
【図５Ｂ】図５Bは、図１の試料観察デバイスの取付け要素の端面図である。
【発明を実施するための形態】
【０００９】
ある態様では、本発明は被覆ガラスから成るサンプル又は試料を設けるための光ボックスに関する。光ボックスは六面ボックスを有して成っていてよく、サンプル又は試料は六面の内部近傍又は六面の内部に配置されていてよい。光ボックスの内部は、当該ボックスの内部の色を変更できる取り外し可能で取り換え可能なパネルを有していてよい。光ボックスの六面のいくつかは開閉可能であってよい。ある態様では、例えば、光ボックスの１つ以上の前面、背面、および上面は、その場の（例えば、設置した）被覆ガラスの外観を理解するためにガラス試料を観察することができるよう選択的に開かれていてよい。すなわち、例えば、光ボックスの前面を開いた際の光ボックスの外部からの試料の光景は、その場で建物又は他の構造物の外部からのガラスの外観と似ているかもしれない。別の例では、光ボックスの背面を開いた際の当該ボックスの後部から、および当該ボックスを通じての試料の眺めは、その場で建物又は他の構造物の内部からのガラスの外観と似ているかもしれない。従って、光ボックスを用いて、フルサイズの実物模型を作成し又は被覆ガラスを完全に取り付けることを要することなく、ガラス上の異なるコーティングの外観がその場で観察されてよい。
【００１０】
いくつかの異なるタイプの試料は、試料観察デバイス１００で使用されてよい。ある態様では、モノシリック（又は単相一体の；monolithic）なガラスが含まれていてよい。他の態様では、ワイヤ付きガラス又はRFガラスが含まれていてよい。更に他の態様では、シルクスクリーン印刷ガラス、デジタル印刷ガラス、セラミックガラス原料から成るガラス等の彩色ガラス、又は他のタイプの彩色ガラスが含まれていてよい。別の態様では、透明ガラスが含まれていてよく、又は、薄く色付けされた又は色付けされたガラスが含まれていてよい。更に他の態様では、低エネルギーガラス、太陽反射ガラス、ハードコート、ソフトコート、金属被覆ガラス、金属/金属酸化物被覆ガラス等の層状ガラス又は被覆ガラス、又は他のタイプの被覆ガラスが含まれていてよい。更に他の態様では、パターンガラス/テクスチャーガラス、酸性エッチングガラス、又はサンドブラストされたガラスが含まれていてよい。更に他の態様では、二重又は三重絶縁ガラス等の絶縁ガラス又は他のレベルの絶縁ガラスが含まれていてよい。更に他の態様では、上記タイプのガラスの組合せが単一試料に含まれていてよく、および/又は試料観察デバイスを使用して２つ以上のこれらタイプのガラスを比べてよい。更に他の態様では、試料観察デバイスにて不透明な試料又は半不透明な試料が使用されてよい。又、更に他のタイプの試料が含まれていてよい。
【００１１】
図面を参照すると、試料観察デバイス１００は、六面形状で示されている。上記で示すように、試料観察デバイス１００は、当該デバイス１００に設けられた又は当該デバイス１００内に設けられた試料５０に供される光の角度および/又は光量を制御するように構成されてよい。そのような六面ボックスが示されている一方、試料観察デバイス１００は、ボックス、チューブ、チャネル、凹面構造の形態であってよく、又は、試料に到達する光を遮り、広げ、又は試料に到達する光量および光の角度を制御するための他の形状システム又はデバイスの形態であってよい。ある態様では、試料観察デバイス１００は、６面、又は、７面若しくは５面等の他の数から成る面、すなわち６面よりも多い他の数から成る面若しくは６面よりも少ない他の数から成る面を有した１つ以上の丸い帽子箱であってよい。更に他の態様では、試料観察デバイス１００は、示されるエンクロージャよりも大きな又は小さなエンクロージャであってよく、当該エンクロージャは、エンクロージャに配置されたコンパートメント（又は区画）を有して成っていてよい。例えば、コンパートメントは、部分的に又は完全に分離したパネルで分割される。エンクロージャを規定する壁若しくはパネル、又は、エンクロージャ内に供される分離したパネルは、摺動（又はスライドslide）し、ヒンジで移動してよい透明又は不透明なシャッター、又は、観察する１つ以上の試料を方向付けできる開閉可能な又は取り外し可能なシャッターを有した窓状の開口部を有していてよい。ある態様では、試料観察デバイスに試料を設けるための試料位置調整システムは、固定配置されてよく、又は、試料を傾け、回転し、移動し、又は調節することで調整可能であってよい。又、他の態様では、異なる大きさ又は形状の試料に適合させるために、例えば摺動又は延在させることで、試料観察デバイス１００の面又はパネルを調整できるようにしてよい。試料観察デバイスの一部は、当該デバイス内に入る又は試料に供される光量を選択的に制御するために、移動可能で、開閉可能で、又は調整可能であってよい。ある態様では、上記に示したシャッターは、枢動し、摺動し、回転し、開口し、又は取り外し可能であってよい。他の態様では、試料観察デバイスの一部は、シェード（又は陰）又はブラインド、又は光量を選択できるように開口し若しくは枢動してよい他の光制限デバイスと同様であってよい。更に他の態様では、チャンバーの不透明性を調整し、それによって、選択的に通過する光量を選択的に調整可能なガスが充填されたチャンバーを又使用してもよい。又、試料観察デバイス１００は、例えば、試料に内部光および/又は外部光を方向づけ、又は、背景光を供するための光源を有して成っていてよい。
【００１２】
図１に示すように、試料観察デバイス１００は、試料５０を完全におよび/又は部分的に囲み、又は試料５０に供される光を制御するためのエンクロージャ１０２を有して成っていてよい。又、試料観察デバイス１００は、試料５０を設け、方向付け、および保持するための試料位置調整システム１０４を有して成っていてよい。試料観察デバイスのこれら部分の各々については、以下詳細に説明する。
【００１３】
記載しているように、エンクロージャ１０２は、任意の形状であってよく、試料の種類および形状、並びに、所望の試料露光量のタイプに基づき選択されてよい。示される態様では、エンクロージャは６面ボックス１０２の形状である。６面ボックス１０２は、当業者に知られているいくつかの方法の１つで構成されてよい。すなわち、ある態様では、６面ボックス１０２は、折り畳み材から作られてよく、いくつかの面は６面ボックス１０２を形成するために折り畳まれてよい。示される態様では、６面ボックス１０２は相対的に剛体材料から作られる。６面ボックス１０２の面のいくつかは、相対的に剛性な接続で相互に接続され、６面ボックス１０２の他の面は、当該面がヒンジ接続部の周りを枢動できるようにヒンジ構造で接続される。ヒンジ接続部が供される場合、ラッチシステムを供して、所定箇所で各面を固定し、選択的にヒンジ動作を抑制してもよい。
【００１４】
図１に示すように、６面ボックス１０２は、左面１１０、右面１１２および底面１１４を有した鞍部（又はサドル部;saddle portion）を有して成っていてよい。左面１１０および右面１１２はこれらに対して略直角に底面１１４に対して取り付けられてよい。エンクロージャ１０２の用途および目的に応じて他の角度に設定されてもよい。左面１１０および右面１１２は、底面１１４に対してしっかりと接続されて、底面１１４に対する方向を維持してよい。ある態様では、左面１１０および右面１１２は、底面１１４にしっかりと取り付けられる別々の部品であってよい。６面ボックス１０２に使用される材料に応じて、面はツメ、ネジ、又はステープル等の留め具で底面１１４に取り付けられてよく、面１１０、１１２は底面１１４に溶接されていてよく、又は面１１０、１１２は底面１１４に接着されてよい。他の態様では、面１１０、１１２および底面は成型され、又は単一部品として形成されてよい。説明のため、ボックス１０２の面の位置は、下記のとおり規定されてよい。左面１１０が左側にあり、右面１１２が右側にあり、底面１１４が左面１１０から右面１１２又は底面１１４は右面１１２から左面１１０までの底面にわたって延在するような鞍部１０８を見る際、下記の事が残りの面を言ってもよい。観察者に近い面は前面１１６であってよく、観察者とは反対側の面は背面１１８であってよく、左面から右面まで又は右面から左面までの上面にわたって延在している面は、ボックスの上面１２０であってよい。
【００１５】
６面ボックス１０２の前面１１６、背面１１８、および上面１２０は、開閉可能な面であってよい。面１１６、１１８、１２０の各々は、６面ボックス１０２の鞍部１０８にヒンジ接続されてもよく、又は取り外されてよい。６面ボックス１０２の前面１１６はヒンジで鞍部１０８の底面１１４に接続されてよく、それによって、前面１１６は、
鞍部１０８の底面１１４の前側エッジにより規定される軸周りのヒンジ動作により開口されてよい。同様に、６面ボックス１０２の背面１１８は、ヒンジで鞍部１０８の底面１１４に接続されてよく、それによって、背面１１８は、鞍部１０８の底面１１４の後端部により規定される軸周りのヒンジ動作により開口されてよい。上面１２０は、６面ボックス１０２から取り外してもよく、前面１１６、背面１１８、左面１１０、および/又は右面１１２のいずれかに、又はこれらの組合せに６面ボックス１２０の上面を選択的に取り付けるため外周の周りに配置された一連のラッチ１２２を有して成っていてよい。示される態様では、ラッチ１２２は、前面１１６又は背面１１８ではなく左面１１０および右面１１２に上面１２０を取り付けるために供される。上面１２０を左面１１０に取り付けるための２つのラッチ１２２が示されており、上面１２０を右面１１２に取り付けるための更なる２つのラッチ１２２が示される。他の数量や位置に設定されたラッチ１２２が供されてもよい。
【００１６】
又、ラッチ１２２は閉鎖位置内に前面１１６および背面１１８を取り付けるために供されてよい。上面１２０のように、ラッチ１２２は、左面１１０、右面１１２、および/又は上面１２０のいずれかに、又はこれらの組合せに前面１１６および背面１１８を選択的に取り付けるため前面１１６および背面１１８の各々の外周の周りに供されてよい。示される態様では、ラッチ１２２は、上面１２０ではなく左面１１０又は右面１１２に前面１１６および背面１１８を取り付けるために供される。あるラッチ１２２は、左面１１０に取り付けるために前面１１６および背面１１８の各々に供され、更にもう１つのラッチ１２２は、右面１１２に取り付けるために前面１１６および背面１１８の各々に供される。他の数量のラッチ１２２が供されてもよい。
【００１７】
ラッチ１２２の特定の配置により、ラッチシステムの各々に対して開閉可能な面の各々が相互に区分けされる点で示されるラッチ１２２の特定の配置には利点があるかもしれない。これは、開閉可能な面が実質的に固定された鞍部１０８に引っ掛けられ、又は外されるからである。そのようにして、他の前面１１６、背面１１８、および上面１２０のいずれかが開口されるかに関係なく、前面１１６、背面１１８、および上面１２０のいずれか１つは外され、開かれてよい。又、ラッチ１２２の他の配置がされてもよい。ラッチは、係止された際に試料観察デバイスの各部分を一体的に強固に引っ張り、係止部分のラッキング（又は振り;racking）又は他の動作を抑制するために、絞り（又は引抜き;draw）ラッチであってよい。又、例えば、磁石、スナップ（又は留め金;snap）、フックおよびループ等のラッチ以外の他の取付けデバイスが供されてよい。
【００１８】
又、６面ボックス１０２は、当該ボックス１０２を運搬するため上面１２０に配置された取っ手１２４を有して成っていてよい。２つの取っ手を運搬のために、６面ボックス１０２の左面１１０および右面１１２並びに/又は前面１１６および背面１１８の各々に他の取っ手１２４が配置されてよい。又、６面ボックス１０２は、その底面に配置されたスペーサ１２６を有して成っていてよい。スペーサ１２６は、６面ボックス１０２が例えばテーブル、実験台、カウンター、又は他の構造物に設けられた際に、表面の結合（;marrying）を抑制するためのパッド１２８を有して成っていてよい。又、スペーサ１２６は、背面１１４の周りを枢動する際にて開閉可能な前面１１６および背面１１８の厚さを適合させる作用機能を有していてよい。例えば、図３Ｂに示すように、スペーサ１２６は、前面１１６および背面１１８の各々と同じ厚さ、又は前面１１６および背面１１８の各々の厚さをごく僅かに上回っている厚さを有していてよい。
【００１９】
又、ボックス型のエンクロージャ１０２は、試料位置調整システム１０４を有して成っていてよい。試料位置調整システム１０４は、エンクロージャ１０２に対して所定箇所で試料５０を受容し、試料５０を保持するために構成されていてよい。ある態様では、試料５０は、エンクロージャ１０２内に収めるような形状および大きさであってよい。すなわち、エンクロージャ１０２がチューブ状である場合、例えば、試料５０は円形であって、チューブの一端を封止するように構成されていてよい。他の態様では、特定の開口部が試料５０の設置のために供されてよく、試料５０はこの開口部内に収まり又は開口部を覆うような大きさであってよい。示される態様では、試料位置調整システムで使用される試料５０は、光ボックスのエンクロージャ１０２の前面１１６内に収まるよう略長方形又は四角形であってよい。図１、２Ｂ〜２Ｅおよび３Ａ〜３Ｂに示されるように、試料位置調整システム１０４は、それ故、エンクロージャ内にどの程度試料５０を設けてよいかを制御するための支持システム（又はバッカーシステム;backer system）１３０を有して成っていてよい。保持要素１３２が、所定箇所で試料５０を支持システム１３０に対して保持するために供されてよく、ラッチ１３４が所定箇所で試料５０を支持システム１３０に対して選択的に保持するために供されてよい。
【００２０】
支持システム１３０は、鞍部１０８の左面１１０、右面１１２、底面１１４の各々の内面に配置された一連のバンパー又はバー（又は棒）を有して成っていてよい。バー１３０は、各面に沿って連続的又は断続的であってよい。示されるバー１３０は、左面１１０、右面１１２、および底面１１４の長さに沿って連続的である。バー１３０は、各面に取り付けられてよく、試料が設けられてよい６面ボックス１０２の前面に面する当接面とでエンクロージャ１０２の狭いキャビティーを形成してよい。ある態様では、複数のバンパー又はバー１３０が相互に一体となってU字形状のバンパー又はバーが形成されてよい。他の態様では、そのいくつかの部品が相互に別々となっていてよい。バー１３０は、６面ボックス１０２の前面１１６に略平行に延在していてよく、それによって、試料５０をバー１３０に設置する際に、試料５０は６面ボックス１０２の前面１１６に略平行に設置されてよい。バー１３０は、オフセット距離１３６分６面ボックス１０２の底面１１４の先端部から離されてよい。オフセット距離１３６は、下記に記載するように保持要素１３２の厚さに加えて試料５０の厚さと略同じであってよい。他のオフセット距離１３６が、エンクロージャ１０２内の試料５０の奥行きを調整するために供されて、選択されてよい。ある態様では、オフセット距離は、例えば、支持システムを摺動させ、又は移動させることにより調整可能であってよい。更に他の態様では、支持システムは、試料５０の角度および/又は方向を選択的に調整するために傾斜角を変えたり、又は枢動可能であってよい。バンパー又はバー１３０の他の方向を供し、選択して、例えば、その場におけるガラスの向き又は傾斜角度に最も類似させてもよい。
【００２１】
バンパー又はバー１３０は、取り付けられるボックスの各面に対して略垂直に測定された厚さを有していてよい。バンパー又はバー１３０の厚さは、下記に記載するように背景色制御システム１０６の取付け要素１４０の厚さと同じ又は類似であるように選択されてよい。そのようにして、前面から観察する際に、バンパー又はバー１３０は、例えば、カラーボードを並べて、試料５０を通じて６面ボックス１０２内の実質的にクリーンな景色を供する背景色制御システム１０６に関連する構造物を実質的に中継してよい。
【００２２】
又、図２Bおよび図２Cに示すように、支持システム１３０は、６面ボックス１０２の上面１２０に配置された追加のバンパー又はバー１３０を有して成っていてよい。６面ボックス１０２の上面１２０が、図示するように開閉可能である場合、６面ボックス１０２の上面１２０にあるバンパー又はバー１３０は、鞍部１０８の左面１１０、右面１１２、および底面１１４にあるバンパー又はバー１３０と分離可能又は離れていてよい。ある態様では、上部１２０にあるバンパー又はバー１３０は、６面ボックス１０２の左面と右面にあるバンパー１３０間に嵌まり込むように、図示するような６面ボックス１０２の上面１２０の幅よりも短い長さであってよい。上面１２０にあるバンパー１３０は、試料５０の周りに均一な当接面を供するために、６面ボックス１０２の左面１１０、右面１１２、および底面１１４にあるバンパー又はバー１３０と同じオフセット距離１３６分６面ボックス１０２の前面１１６から距離をあけて配置されてよい。
【００２３】
又、試料位置調整システム１０４は、保持（又はキーパー;keeper）要素１３２を有して成っていてよい。保持要素１３２は、支持システム１３０に対して試料５０を保持するように構成されていてよい。例えば、図２E、３Aおよび３Bに示すように、保持要素１３２は、６面ボックス１０２の底面１１４に配置され、および支持システム１３０よりも６面ボックス１０２の前側にはなれて配置された保持ストリップ１３２の形状であってよい。保持要素１３２は支持バー又はバンパーと同様に連続的又は断続的な保持ストリップ１３２であってよい。少なくとも１つの連続的又は断続的な保持ストリップ１３２は、６面ボックス１０２の底面１１４の前側エッジに沿って配置されていてよい。保持ストリップ１３２は、試料５０の厚さと同じ、又はわずかに試料５０よりも厚い距離分支持システム１３０から離れていてよい。例えば、試料５０が単一のガラス枠である場合、支持システム１３０から保持要素１３２までの距離は、ガラス厚さと略同じであってよい。例えば、試料５０が絶縁性ガラスユニット（IGU）である場合、支持システム１３０から保持要素１３２までの距離は、ガラスペイン厚さと支持システム１３０から保持要素１３２までの間隔との合計と略同じであってよい。ある態様では、スペーサが、支持システム１３０と保持要素１３２との余分なスペースに占める試料を備えた支持システム１３０と保持要素１３２との間の場所に供されてよい。例えば、試料の厚さが支持システム１３０と保持要素１３２との間のスペースよりも薄い場合、スペーサは残りのスペースを占めるように供されてよい。本態様は、６面ボックス１０２の底面１１４にある保持要素１３２を示しているが、ある態様では、保持要素１３２は６面ボックス１０２の左面１１０および右面１１２に供されてもよい。
【００２４】
支持システム１３０と関連するいくつかの保持要素１３２は、例えば上面から試料５０を挿入し、および/又は取り除くためのスロットを備えていてよい。すなわち、スロットの上部を露出する上面１２０は取り外されて又は開かれてよく、試料５０はスロットの上部から支持システム１３０と保持要素１３２との間の試料５０を動かすことで挿入されてよい。この態様では、支持システム１３０と保持要素１３２は十分に試料５０を固定していてよいので、ラッチ１３４は供されなくてよい。
【００２５】
又、試料位置調整システム１０４は、ラッチ１３４を有して成っていてよい。ラッチ１３４は、試料５０を配置できるように構成され、試料５０を固定するために所定位置に移動するように構成されていてよい。示される態様では、ラッチ１３４は、フック形状要素１３４から成っている。図示するように、フック形状要素１３４は、支持の右面に沿って配置されたピボットピンの周りで枢動可能であってよい。ある態様では、ピボットピンは、支持システム１３０の面内に挿入され、支持システム１３０の面に略垂直に配置されたネジ又は通しボルトであってよい。フック形状要素１３４は、試料５０に垂直および支持システム１３０の側面に平行な面で移動可能であってよい。図２Bに示すように、支持システム１３０の上面は、ラッチ１３４が試料の挿入および/又は除去のため試料５０の無い箇所で上昇移動できるようにラッチ１３４の上昇移動に適応するためのスペース又はギャップ１３８を有して成っていてよい。６面ボックス１０２の前面１１６、背面１１８、および上面１２０の各々を試料５０を自由にすることなく開いてよいので、ラッチ１３４のこの配置は有利であるかもしれない。又、ラッチ１３４の他の配置が供されてよい。ラッチ１３４は、試料を固定するために閉鎖位置に向かって変更されていてよい。例えば、バネが、試料を固定するラッチ１３４にバイアスをかける（又は偏向する:bias）ために供されてよい。
【００２６】
フック状のラッチ１３４が記載されている一方、他のラッチシステム１３４が供されてよい。例えば、保持バー１３２が６面ボックス１０２の左面１１０および右面１１２に供されてよい。保持バー１３２は、左面１１０および右面１１２の前側エッジと略合致した軸周りで、例えばヒンジを通じて枢動可能であり、それによって、６面ボックス１０２の前面以外および試料５０の配置箇所以外で枢動可能であってよい。一旦、試料５０を設置して、各支持バー（又はバッカーバー;backer bar）１３０に対して試料５０の各側面を固定すると、保持バー１３２は、元の位置に戻って枢動可能であってよい。フック状ラッチ１３４のように、これらの保持型のラッチ１３４は、試料５０を所定箇所に保持するために固定位置に向かってバイアスが掛けられてよい。所定箇所でピクチャーフレームのバッキングを維持するためにピクチャーフレームの背面に見られるのと同様の枢動可能なタブ等の更に他のラッチデバイス１３４およびシステムが、試料位置調整システム１０４で使用されてよい。更に他のシステムが使用されてよい。
【００２７】
試料位置調整システム１０４は一連の支持バー１３０、保持子１３２、およびラッチ１３４を有して成ることを記載しているが、他の試料位置調整システム１０４が供されてよい。例えば、磁石が試料５０を固定するために使用されてよい。更に他の態様では、接着剤が使用されてよい。これらいずれの態様であっても、接着剤又は磁石は、例えば鞍部１０８のエッジに試料５０を固定するために使用されてよく、又は支持バー１３０が使用されてよく、接着剤又は磁石が試料５０を固定するために使用されてよい。更に他の態様では、試料はエンクロージャ１０２内に又はエンクロージャ１０２上に合う磨耗部（又はフリクション;friction）であってよい。更に他の試料位置調整システム１０４が供されてよい。
【００２８】
背景色制御システム１０６は、エンクロージャ１０２の内部の色を制御するために構成されていてよい。それ故、エンクロージャ１０２の内部の色は、色と試料５０との間の関係のユーザーの理解を助けるために背景色制御システム１０６を使用して選択的に変更されてよい。すなわち、背景色は、いくつかのバンテージポイントからの試料５０の外観に影響するかもしれず、試料５０はいくつかのバンテージポイントからの背景色の外観に影響するかもしれない。図１に示すように、背景色制御システム１０６は、複数の取付け要素１４０および取付け要素１４０に取り付けるための複数の有色カセット１４２を有して成っていてよい。取付け要素１４０は、有色カセット１４２の挿入、取り外し、および取り換えができるように構成されており、それによって、エンクロージャ１０２の内部色を選択的に変更することができるようにしてよい。又、物理的におよび手動で変更可能な背景色制御システム１０６が記載されているが、エンクロージャ１０２の面が、液晶又は電子的におよび/又は自動的に色変更可能な他のスクリーン等の色変更可能なパネルを有して成る電子システムが供されてよい。
【００２９】
示される態様では、取付け要素１４０は、有色カセット１４２を受容するため取付けストリップ１４０の形状であってよい。図５Aおよび５Bに示すように、取付けストリップ１４０は、断面が略四角形又は長方形であってよく、相対的に細長くてよい。取付けストリップ１４０は、その全長に沿って延在するスロット１４４を有していてよい。スロット１４４は、有色カセット１４２のエッジを受容するように構成されていてよい。そのため、スロット１４４は、有色カセット１４２の厚さと略同じ厚さであるか、有色カセット１４２の厚さよりも僅かに厚くてよい。スロット１４４は、取付け要素ストリップ１４０の厚さを部分的に延在する奥行（又は深さ;depth）を有していてよい。図５Bに示すように、各取付けストリップ１４０は、横断面が相互に実質的に垂直であるように配置された２つのスロット１４４を有していてよい。スロット１４４は、相互に交差することを回避するために取付けストリップ１４０の横断面中に配置されることに留意する。すなわち、少なくとも１つのスロット１４４は、ストリップ１４０の各面の中心からずらされていてよく、隣接面にあるスロット１４４が交差しないように切断されている。スロット１４４が隣接面にあるスロット１４４に侵入し始めるようにスロット１４４の奥行が取付けストリップ内に延在している場合、このずれ（又はオフセット;offset）はスロット１４４が交差しないようにすることを可能にしてよい。ある態様では、スロットの奥行は、スロット１４４が内側の角に向かって切断されるストリップ１４０の各面の中心に位置づけることができるように調整されてよい（すなわち、より小さくされてよい）。
【００３０】
図１を再度参照すると、取付けストリップ１４０は、４つのカセット１４２を受容するようにエンクロージャ１０２の鞍部１０８に配置されてよい。ある取付けストリップ１４０は、底面１１４および左面１１０の交差部分に配置されてよく、その交差部分に沿って延在していてよい。追加の取付けストリップ１４０が、底面１１４および右面１１２の交差部分に配置されていてよく、その交差部分に沿って延在していてよい。更に別の取付けストリップ１４０が左面１１０の上側エッジの近傍に配置されてよく、左面１１０の上側エッジに沿って延在していてよい。更に別の取付けストリップ１４０が右面１１２の上側エッジの近傍に配置されてよく、右面１１２の上側エッジに沿って延在していてよい。追加の取付けストリップ１４０は、第５のカセット１４２を受容するようにエンクロージャ１０２の背面１１８に配置されていてよい。後者のこれら取付けストリップ１４０は、背面１１８に沿って上側に延在するように配置されていてよく、背面１１８の垂直なエッジから間隔をおいて配置されてよく、それによって、背面１１８にある取付けストリップ１４０が鞍部１０８にある取付けストリップ１４０の内面により規定される境界内に入る。背面１１８が閉じられると、背面１１８に位置づけられた取付けストリップ１４０は、鞍部１０８にある取付けストリップ１４０と干渉しないようにしてよい。又、背面１１８にある取付けストリップ１４０は、その中にあるスロット１４４の１つのみが露出して、残りのスロット１４４がエンクロージャ１０２の背面１１８に面するように方向づけられてよい。これは、これら取付けストリップ１４０がエンクロージャ１０２の隣接面からカセット１４２を受容しないようにするためである。又、背面１１８にある取付けストリップ１４０は、背面１１８の上側に向かって延在するというよりはむしろ背面１１８に広がるように配置されていてよい。全ての５つのカセットを設置し、エンクロージャ１０２を完全に閉じた際、試料５０の眺め（又は光景;view）は、各有色カセット１４２から成る色合わせで上面１２０、底面１１４、左面１１０、右面１１２および背面１１８を有する略長方形又は正方形のボックスを示すかもしれない。
【００３１】
カセット１４２は、取付けストリップ１４０のスロット１４４内に摺動するために構成され、取付けストリップ１４０のスロット１４４への選択的な挿入および取り外しのために構成された相対的に薄い要素（又はエレメント;element）であってよい。カセット１４２は、例えばプレート状の要素であってよい。カセット１４２は、それに適用される同色又は異色の２つの面を有して成っていてよい。カセット１４２は、別の色を単一セットのカセット１４２で解析できるように裏返せるようにしてよい。カセット１４２は、相対的に硬く、エンクロージャを横切って一方の取付けストリップ１４０から別の取付けストリップ１４０まで及ぶように構成されていてよい。カセット１４２は、木材、金属、板紙、カードボード、プラスチック、伸張織物であってよく、又は複合材が使用されてよい。又、他の材料が使用されてよい。又、スロット（又は細長い穴;slot）のある取付けストリップおよびカセットを記載しているが、背景色を調整するための他のシステムが供されてよい。例えば、磁石取付けストリップ又はフック、ループ、スナップ（又は留め金;snap）を有する取付けストリップ、又は他の再使用可能なファスナー（又は留め具;fastener）が使用されてよい。
【００３２】
又、光源はエンクロージャ１０２内に供されてよい。例えば、ロープライト、白熱電球、LED電球、ハロゲン電球、又は他の照明が供されてよい。例えば、LED照明は、光でカセット１４２を“洗浄”し、エンクロージャ１０２に内部光を供するために取付けストリップ１４０の露出部に沿って供されてよい。他の態様では、照明は、光でエンクロージャ１０２を満たすために支持バー１３０の内面に供されてよい。又、エンクロージャ１０２の内側容積を明るくできるように他の位置に照明が供され、他の種類の照明が供されてよい。又、例えば、試料５０の外面に光を照らすために外部照明を供し、それによって、試料５０の反射性および他の特性を解析してよい。
【００３３】
試料観察デバイス１００のいくつかの部分には、これに少なくとも部分的に透明な試料５０を位置付けるためにエンクロージャ１０２が供されてよい。エンクロージャ１０２には、試料５０の少なくとも一面にキャビティー（又は空洞:cavity）又は空間が供されてよく、背景色制御システム１０６には、キャビティー又は空間を囲む又は隣接する有色カセットが供されることで、キャビティー又は空間内に色が与えられてよい。試料観察デバイスは、彩色空間又は有色空間と屋外又は別の空間とを分離するガラスの外観の建造物内の彩色空間又は有色空間の効果に似ているかもしれない。この外観に作用するかもしれない建造物の他の外観（又は形相;aspect）に関連したガラス又はグレイジングのモデル化により、ガラス又はフィルムコートされたガラスの予想される外観の理解がより正確にされ、および/又はガラス又はフィルムコートされたガラスの予想される外観の理解が深められる上で有利であるかもしれない。
【００３４】
ある態様では、試料観察デバイス１００は、並べて試料を観察できるように構成されていてよい。ある態様では、当該デバイスは、相互に隣接する２つの試料を受容する大きさであってよい。従って、２つの試料はデバイス１００内に設置され、例えば、比較される試料は異なる試料に同様の露出効果を与えて形成されたものであってよい。ある態様では、隣接する試料が全ての面に沿って同様の露出条件となることができるように中央壁が供されてよい。同一又は略同一の背景および/又は照射条件で異なる試料が並んで比較されてよい。更に、背景色および/又は照射が異なる場合に、同一の又は略同一の試料が並べて比較されてよい。更に他の態様では同様の比較観察をするため、多数の試料観察デバイス１００が使用され、相互に隣接して配置されてよい。
【００３５】
使用中は、試料観察デバイス１００により、ガラス又は被覆ガラス又は他の試料５０が観察可能であってよい。完全に閉じたエンクロージャ１０２で観察を開始する際、前面１１０を開いて、試料５０を設置してよい。試料５０は、ボックス１０２の底面１１４にある保持要素１３２の後方で、保持要素１３２と支持バー１３０との間に試料５０の下部を設置するために僅かに傾けてよい。試料５０は、例えばエンクロージャ１０２の左面１１０、右面１１２および上面１２０にある支持バー１３０に対して所定箇所に傾けてよく、ラッチ１３４が所定箇所で試料５０を保持するために所定位置に枢動されてよい。カセット１４２が既に所定箇所にある場合、試料５０は前面１１６から観察されてよい。エンクロージャ１０２内に供される場合、カセット１４２の色と関連して試料５０に対する照明の効果を再観察するために、照明がつけられたり、消されたりしてよい。この条件下での前面１１６からの眺めは、例えば、建造物の内側でライトをつけたり消したりした状態での、建造物の外側からの試料５０の外観に似ているかもしれない。カセット１４２を設置したり、取り換えたりすることが可能な場合、エンクロージャ１０２の背面１１８は、外され開かれてよい。カセット１４２の色や色のパターンは選択されてよく、左面１１０、右面１１２、底面１１４および上面１２０のためのカセット１４２は、エンクロージャ１０２の背面１１８から取付けストリップ１４２のスロット１４４に摺動させて、取付けストリップ１４２に設置されてよい。エンクロージャ１０２の背面１１８のためのカセット１４２は、エンクロージャ１０２の背面１１８に位置付けられた取付けストリップ１４２のスロット１４４に摺動させてよい。エンクロージャ１０２の背面１１８は、所定箇所で新しいカセット１４２で閉じられてよく、又は、背面１１８は、エンクロージャ１０２内に照射することができるように又はエンクロージャ１０２の内側からの試料５０の外部観察ができるように開かれたままであってよい。エンクロージャ１０２を通しての背面１１８からの外部からの眺めは、例えば建造物の内部からの試料の外観に似ているかもしれない。ある場合では、上部のカセット１４２は取り外されてよく、又、エンクロージャ１０２の上面１２０は、光が上部からエンクロージャ１０２に入ることができるように取り外されてよい。この際、試料５０は、試料５０を解析するために前面１１８又は（背面１１８を開いたままで）背面１１８から観察されてよい。開口面と観察するバンテージポイントとの他の組み合わせが行われてよい。
【００３６】
移動させるため、試料５０はエンクロージャ１０２から取り除かれてよく、又は試料５０はエンクロージャ１０２内の所定箇所に残ったままであってよい。エンクロージャの前面１１６、背面１１８および上面１２０は閉じられたり、係止されたりしてよく、エンクロージャ１０２は取っ手１２１又は他の運搬システムを通じて運搬されてよい。
【００３７】
本発明は、好ましい態様を含む様々な態様を参照しながら説明されてきたが、これらの態様は例示であって、本発明の範囲はこれに限定されないと理解されよう。多くの変更、修正、追加および改良が可能である。その機能は、別々であり、又は本発明の様々な態様と異なるブロックと組み合わされ、又は異なる専門用語集で記載されていてよい。これらおよび他の変更、修正、追加および改良は下記の特許請求の範囲に規定されているように本発明の範囲内にあってよい。
【図１】
2014531044.tif 000003
【図２Ａ】
2014531044.tif 000004
【図２Ｂ】
2014531044.tif 000005
【図２Ｃ】
2014531044.tif 000006
【図２Ｄ】
2014531044.tif 000007
【図２Ｅ】
2014531044.tif 000008
【図２Ｆ】
2014531044.tif 000009
【図２Ｇ】
2014531044.tif 000010
【図３Ａ】
2014531044.tif 000011
【図３Ｂ】
2014531044.tif 000012
【図４Ａ】
2014531044.tif 000013
【図４Ｂ】
2014531044.tif 000014
【図４Ｃ】
2014531044.tif 000015
【図４Ｄ】
2014531044.tif 000016
【図４Ｅ】
2014531044.tif 000017
【図５Ａ】
2014531044.tif 000018
【図５Ｂ】
2014531044.tif 000019
【国際調査報告】
2014531044.tif 000020
2014531044.tif 000021
2014531044.tif 000022